(57)【要約】【課題】  室内の壁面との一体感を現出させて室内の外観を良好なものとさせる表示パネル支持装置を提供する。【解決手段】  表示パネル支持装置１は、固定部材５と可動部材６と連結支持部材７と周縁部カバー４とを備える。固定部材５は、壁２の前面に形成された収納用凹所３０内にその背面を壁面に沿うようにして固定される。可動部材６は、前面側に表示パネル３が取り付けられ且つ該表示パネル３と共に出納自在に収納用凹所３０に格納される。連結支持部材７は、固定部材５と可動部材６とを連結すると共に可動部材６が収納用凹所３０に格納された後退位置から前方に出た前進位置まで移動自在となるよう駆動する。周縁部カバー４は、収納用凹所３０の開口縁部に設けられ表示パネル３が取り付けられた可動部材６が後退位置にあるときに表示パネル３の外周と収納用凹所３０の開口縁との隙間を覆い且つ前記可動部材６が後退位置から前進したときに開放する。【選択図】        図１
2011048114.tif 000002
【特許請求の範囲】
【請求項１】
壁の前面に形成された収納用凹所内にその背面を壁面に沿うようにして固定される固定部材と、前面側に表示パネルが取り付けられ且つ該表示パネルと共に出納自在に収納用凹所に格納される可動部材と、固定部材と可動部材とを連結すると共に可動部材が収納用凹所に格納された後退位置から前方に出た前進位置まで移動自在となるよう駆動する連結支持部材と、収納用凹所の開口縁部に設けられ表示パネルが取り付けられた可動部材が後退位置にあるときに表示パネルの外周と収納用凹所の開口縁との隙間を覆い且つ前記可動部材が後退位置から前進したときに開放する周縁部カバーとを備えてなることを特徴とする表示パネル支持装置。
【発明の詳細な説明】
【技術分野】
【０００１】
本発明は、液晶テレビやプラズマテレビなどの平面状の表示パネルを支持する装置に関するものである。
【背景技術】
【０００２】
近年、液晶テレビやプラズマテレビなどの平面状の表示パネルが普及してきている。このような表示パネルは専用の支柱や支持脚を付設し、床上に直接またはテレビ台などのラック上に載せて設置したり、壁に金具で掛け止めしたりして、壁面に沿わせて設置されている。壁面に沿わせての設置形態として、利用者が使うときなどに、壁面から前方へ突出させて使用するといった使用形態が、例えば特許文献１により提案されている。
【０００３】
この特許文献１により示されたものは、壁面に板状の固定部材（特許文献１中のベース板３）が固定され、この固定部材から前方に突出した枢支手段（特許文献１中の軸受部１５）が設けられ、この突設された枢支手段に表示パネルが支持されている。この表示パネルは、表示パネルを見る人の位置に合わせて左右に回動できるように、壁面前方に突設された枢支手段によって回動自在に取り付けられている。
【先行技術文献】
【特許文献】
【０００４】
【特許文献１】特開２００７−３３５９２９号公報
【発明の概要】
【発明が解決しようとする課題】
【０００５】
ところで、このような表示パネル支持装置は、使用時はもちろんのこと不使用時においても常に壁面から前方に突出した状態のままであるので、壁面との一体感がなく室内の外観を低下させてしまう。
【０００６】
そこでこの問題を解消するためには、壁の前面に凹所を形成し、この凹所の底面に前記固定部材を固定することが考えられる。これにより、凹所内に表示パネルを収めることができ、壁面から表示パネルを突出しないようにすることができて、壁面と表示パネルとの一体感を現出させようとした。
【０００７】
しかしながら、このように単に凹所内に固定部材を固定して、この凹所内に表示パネルを収めようとしただけでは、凹所の開口縁部と表示パネルとの間に隙間が生じてしまい、依然として壁面との一体感が得られず、室内外観を良好にはできなかった。
【０００８】
本発明は、上記事情に鑑みてなされたものであり、その目的とするところは、室内の壁面との一体感を現出させて室内の外観を良好なものとさせる表示パネル支持装置を提供することにある。
【課題を解決するための手段】
【０００９】
上記課題を解決するために本発明の表示パネル支持装置は以下のような構成とする。
【００１０】
本発明の表示パネル支持装置１は、固定部材５と可動部材６と連結支持部材７と周縁部カバー４とを備える。固定部材５は、壁２の前面に形成された収納用凹所３０内にその背面を壁面に沿うようにして固定される。可動部材６は、前面側に表示パネル３が取り付けられ且つ該表示パネル３と共に出納自在に収納用凹所３０に格納される。連結支持部材７は、固定部材５と可動部材６とを連結すると共に可動部材６が収納用凹所３０に格納された後退位置から前方に出た前進位置まで移動自在となるよう駆動する。周縁部カバー４は、収納用凹所３０の開口縁部に設けられ表示パネル３が取り付けられた可動部材６が後退位置にあるときに表示パネル３の外周と収納用凹所３０の開口縁との隙間を覆い且つ前記可動部材６が後退位置から前進したときに開放する。
【００１１】
このような構成によれば、薄型テレビなどの表示パネル３を可動部材６に取り付けた状態で、連結支持部材７を駆動させて可動部材６を後退位置に移動させると、可動部材６と共に表示パネル３が収納用凹所３０内に格納される。このとき収納用凹所３０の開口縁部と表示パネル３との間に隙間が形成されるが、この隙間を周縁部カバー４が覆い、この隙間は壁前方から見えなくなる。また、この状態から収納用凹所３０内に格納された表示パネル３を前進させると、周縁部カバー４が隙間を開放し、周縁部カバー４が表示パネル３の前進移動を妨げない。
【発明の効果】
【００１２】
本願発明によれば、表示パネルを収納用凹所内に格納した場合には、格納された表示パネルと壁面との一体感を現出することができて室内の外観を良好にすることができる。一方、表示パネルを見えやすい位置に前進させたとしても、支障なく作動させることができる。
【図面の簡単な説明】
【００１３】
【図１】本発明の一実施形態の表示パネル支持装置に表示パネルを取り付けた状態の壁を省略した全体斜視図であり（ａ）は周縁部カバーが閉じた状態の図であり（ｂ）は周縁部カバーが開放した状態の図である。
【図２】同上の背面から見た斜視図であり（ａ）は全体斜視図であり（ｂ）は要部斜視図である。
【図３】本発明の一実施形態の表示パネル支持装置の全体構成を説明するための前方から見た斜視図である。
【図４】同上の背面から見た斜視図である。
【図５】同上の上方から見た平面図である。
【図６】同上の連結支持部材の分解斜視図である。
【図７】同上の表示パネルを取り付けた可動部材を後退位置に位置させた状態の平面図である。
【図８】同上の可動部材を前進させた状態の平面図である。
【図９】同上の可動部材を左右方向に回動させる構成を説明するための平面図である。
【発明を実施するための形態】
【００１４】
以下、本発明の実施形態について添付図面に基づいて説明する。
【００１５】
本実施形態の表示パネル支持装置は、図１に示されるように、部屋の壁に形成された収納用凹所３０に取り付けられ、液晶テレビやプラズマテレビ、コンピュータのディスプレイ等の薄型で平面状の表示パネル３を前進後退移動可能に支持するものである。
【００１６】
なお、以下では、図３に示されるように、壁に沿うように取り付けられた表示パネル支持装置１から見て室内側の方向（矢印Ｆ）を前方、壁側の方向（矢印Ｂ）を後方、後方を向いた時に壁に沿う横方向を左右方向（矢印Ｌが左、矢印Ｒが右）と定義して説明する。
【００１７】
表示パネル支持装置１は、収納用凹所３０内にその背面を壁面に沿うようにして固定される固定部材５と、前面側に表示パネル３が取り付けられる可動部材６と、固定部材５と可動部材６とを連結する連結支持部材７と、収納用凹所３０の開口縁部に設けられた周縁部カバー４とを備えている。この可動部材６は、収納用凹所３０内に格納された後退位置から、この状態から前方に出た前進位置まで移動するように構成されている。
【００１８】
可動部材６は上下左右の金属製の枠材８を矩形状に枠組みしてなり、表示パネル３は左右の枠材８に形成された係止孔９に前方から引掛けることにより可動部材６に取り付けられる。可動部材６は、係止孔９に表示パネル３が取り付けられた状態で収納用凹所３０内に出納自在に格納される。
【００１９】
図４に示されるように可動部材６の上下の枠材８には、背面の左右方向の中央部に軸受け１０が夫々固着されている。また、可動部材６の上の枠材８の背面において軸受け１０より左方に位置する部分にはスライド機構１１が設けられている。
【００２０】
固定部材５は収納用凹所３０の底面３１（すなわち、奥面）に固定される正面視略矩形状の金属製のプレートによって構成されている。固定部材５には複数の固着具挿通孔１２が穿設され、これら固着具挿通孔１２にビス等の固着具（図示せず）を挿通し、被固定部を構成する収納用凹所３０の底面３１に固着することによって固定部材５は収納用凹所３０の底面３１に固定される。
【００２１】
図３に示されるように、固定部材５の前面において左右方向の中央部の上下には軸受け１３が固着され、また、固定部材５の前面において両軸受け１３よりも左方の上下には、左右に長いガイドレール１５が設けられている。
【００２２】
図６に示されるように、連結支持部材７は、２個のアーム１６ａ、１６ｂの中間部同士を上下に長い連結縦軸１７で縦軸回りに回動自在に連結してなり、両アーム１６ａ、１６ｂは平面視でＸ字状をなす。連結支持部材７は後端側が固定部材５に連結されると共に前端側が可動部材６を縦軸回りに回動自在に支持するものであり、可動部材６を固定部材５に対して前後方向に移動したとき、前後方向に伸縮するように駆動する。この連結支持部材７は、可動部材６が収納用凹所３０に格納された後退位置から前方に出た前進位置まで移動自在となるよう駆動するようになっている。
【００２３】
図６に示されるように２個のアーム１６ａ、１６ｂのうちの一方のアームである第一アーム１６ａは、上下に離間した横長で平行な二本の連結材１８の両端部同士を回動縦軸１９で連結したものである。上下の連結材１８の中間部には連結縦軸１７が回動自在に挿通される。
【００２４】
第一アーム１６ａの固定部材５側の回動縦軸１９（以下、回動縦軸１９ａと記載する）の上下両端部は、連結材１８より突出し、各突出部分は対応する軸受け１３に縦軸回りに回動自在に支持されている。すなわち、第一アーム１６ａの一端部は固定部材５に縦軸回りに回動自在に連結されている。
【００２５】
第一アーム１６ａの可動部材６側の回動縦軸１９の上端部は、上の連結材１８よりも上方に突出している。同部は図３等に示される縦長棒状の操作レバー２０の下端部に縦軸回りに回動自在に連結されている。
【００２６】
図４に示されたように、操作レバー２０は、第一アーム１６ａの可動部材６側の端部を連結する連結部を構成し、スライド機構１１に対して上方から挿通して装着され、スライド機構１１に対して横方向にスライド自在となっている。すなわち、第一アーム１６ａの可動部材６側の端部は可動部材６に縦軸回りに回動自在に且つ横方向にスライド自在に連結されている。
【００２７】
操作レバー２０はスライド機構１１の上面部を構成するガイド部２１に形成されたガイド孔２２に挿通され、ガイド部２１によってそのスライド方向が規制される。
【００２８】
ガイド孔２２は、図５に示されるように可動部材６の背面に沿う左右に長い直線状の孔からなる回動規制部２３と、回動規制部２３の右側端部に接続されて平面視で左方に向かって凸となる円弧状に形成された孔からなる回動許容部２５とで構成されている。回動許容部２５はその長手方向の中間部が回動規制部２３に接続され、すなわちガイド孔２２は右側端部で前後に分岐した孔となっている。
【００２９】
他方、第二アーム１６ｂは、図６のように横長の連結材２６の両端部に回動縦軸２７を設けたものである。連結材２６の中間部は第一アーム１６ａの上下の連結材１８の中間部の間に位置し、同部には連結縦軸１７が縦軸回りに回動自在に挿通され、該連結縦軸１７によって両アーム１６ａ、１６ｂが連結される。
【００３０】
第二アーム１６ｂの可動部材６側の回動縦軸２７（以下、回動縦軸２７ａと記載する）は、図５に示されるように平面視で円弧状の回動許容部２５の中心に位置し、該回動縦軸２７ａの上下両端部は連結材２６よりも突出している。各突出部分は対応する軸受け１０に縦軸回りに回動自在に支持されている。すなわち、第二アーム１６ｂの一端部は可動部材６に縦軸回りに回動自在に連結されている。
【００３１】
図６のように第二アーム１６ｂの固定部材５側の回動縦軸２７の上下両端部は連結材１８より突出し、各突出部分には縦軸回りに回転自在となるローラー２８が設けられている。
【００３２】
各ローラー２８は、図３のように第二アーム１６ｂの固定部材５側の端部を連結する連結部を構成し、前記固定部材５の対応するガイドレール１５に左右方向に移動自在に収納される。これによって第二アーム１６ｂの固定部材５側の端部は可動部材６に縦軸回りに回動自在に且つ横方向にスライド自在に連結される。また、図示は省略するが、固定部材５には、各ローラー２８の左右のスライド範囲を所定範囲に制限するためのストッパーが設けられている。
【００３３】
前記連結支持部材７により固定部材５に連結された可動部材６は、固定部材５に沿った図１（ａ）や図７に示す後退位置から図１（ｂ）や図３〜図５・図８〜図９に示す前方に出た前進位置までの範囲で移動自在となり、また、前進位置においては回動縦軸２７ａを中心に縦軸回りに回動自在となっている。
【００３４】
図７に示されたように後退位置にある可動部材６は、固定部材５が取り付けられた被固定部（収納用凹所３０の底面３１）に最も近づいた状態となり、可動部材６及び表示パネル３の夫々の前面が壁面と直交する前方を向く。このように可動部材６を後退位置に配置することで、表示パネル３を収納用凹所３０内に格納することができる。
【００３５】
可動部材６が後退位置にあるときには、連結支持部材７は両アーム１６ａ、１６ｂが壁面に沿った収縮状態となり、ガイドレール１５に沿ってスライドする各ローラー２８はそのスライド範囲における左側端部に配置され、また、ガイド部２１に沿ってスライドする操作レバー２０は回動規制部２３の左側端部に配置される。
【００３６】
後退位置に配置された可動部材６を前進させるには、操作レバー２０を回動規制部２３に沿って右方向に移動させる。このようにすると、連結縦軸１７で互いに連結された第一アーム１６ａ及び第二アーム１６ｂのうち、第一アーム１６ａが回動縦軸１９ａを中心として前方に回動すると共に、第二アーム１６ｂが回動縦軸２７ａを中心として後方に回動する。操作レバー２０が回動許容部２５に至るのと同時に、第二アーム１６ｂに設けられた各ローラー２８がガイドレール１５に沿って右方にスライドしてそのスライド範囲における右側端部に配置される。これによって連結支持部材７は伸長して、図８に示されるように連結支持部材７の前側に連結された可動部材６と表示パネル３が前面を前方に向けて回動不能とされた状態のまま前進し、図５のように可動部材６が壁部２から前方に出た前進位置に配置される。
【００３７】
このように可動部材６が前方を向けた状態のまま最も固定部材５から離れた前進位置に配置されると、操作レバー２０は回動許容部２５の長手方向の中間部に配置されて、回動許容部２５において前後両側に移動可能となり、この結果、可動部材６は図９のように両アーム１６ａ、１６ｂを固定部材５に対して回動することなく回動縦軸２７ａを中心として回動することが可能となる。
【００３８】
例えば、前進位置にある可動部材６を回動縦軸２７ａを中心に平面視で左回りに回動すると、操作レバー２０が、回動許容部２５の後側に向かってスライドし、図９のように最大限回動させた状態で回動許容部２５の後端部に至る。
【００３９】
逆に、可動部材６を回動縦軸２７ａを中心に平面視で右回りに回動すると、操作レバー２０が、回動許容部２５の前側に向かってスライドし、最大限回動させた状態で回動許容部２５の前端部に至る。なお、図９では、可動部材６を最大限右回りで回動させたときの表示パネル３を２点鎖線で示している。
【００４０】
収納用凹所３０は、壁面や家具などの鉛直な面から凹没させて形成されている。本実施形態の収納用凹所３０は、前方から見て矩形状となっている。図７及び図８に示されるように、この収納用凹所３０の底面３１には、前述のように固定部材が固定される。具体的にこの収納用凹所３０は、可動部材６が後退位置にある場合において、表示パネル３を取り付けた状態の可動部材５が収納用凹所３０内に格納されるような深さの凹部によって構成されており、この後退位置において表示パネル３の前面が、壁面や家具などの鉛直な面と略面一となるようになっている。この収納用凹所３０の開口縁部には、後述する周縁部カバー４が開口全周に取り付けられている。
【００４１】
周縁部カバー４は、表示パネル３が取り付けられた可動部材６が後退位置にあるときに表示パネル３の外周と収納用凹所３０の開口縁との隙間を覆い、且つ前記可動部材６が後退位置から前進したときに開放するように構成されている。
【００４２】
図２（ｂ）に示されたように、この周縁部カバー４は、収納用凹所３０の側面（壁面又は家具などの鉛直な面とは直角な面）に固着されるカバー取付部４１と、該カバー取付部４１に設けられ収納用凹所３０の開口縁部に沿って設けられるカバー用回動軸４２と、該カバー用回動軸４２の軸回りに回動自在に設けられたカバー部材４３とを備えている。本実施形態のカバー部材４３は、前方に開放する開放状態（図８参照）から、表示パネルの外周と収納用凹所３０の開口縁部との隙間を覆った閉塞状態（図７参照）までの範囲で回動可能となっている。
【００４３】
図２（ｂ）に示されるように、カバー取付部４１には前後方向の略中間部にビス等の固着具を挿通するための固着具挿通孔４４が複数箇所に穿設されている。このカバー取付部４１の一部からは、カバー用回動軸４２を取り付けるための軸用突片４５が突設されている。この軸用突片４５は、カバー取付部４１と略直交する面を有している。カバー取付部４１は、収納用凹所３０の入隅部に取り付けられている。詳しくは、収納用凹所３０の長手方向の両端に固設されると共に短手方向の両端にも夫々固設されている。カバー取付部４１を上下方向の両端と左右方向の両端とにそれぞれ取り付けると、上下方向の両端・左右方向の両端にそれぞれ設けられた軸用突片４５同士が対向する。この対向した軸用突片４５を架設するようにしてカバー用回動軸４２が設けられる。このカバー用回動軸４２には、断面略Ｌ字状のカバー部材４３が取り付けられている。このカバー部材４３は、表示パネル３の外周と収納用凹所３０の開口縁との隙間を覆うカバー部４６と、該カバー部５６に対し略直角となった押圧部４７とを有している。
【００４４】
周縁部カバー４が開放状態にあるときの押圧部４７は、収納用凹所３０が設けられた壁面又は家具などの鉛直な面に沿った状態となっている（図８参照）。この状態の押圧部４７を前方から後方に向けて押圧すると、カバー用回動軸４２を中心にして周縁部カバー４が回動し、収納用凹所３０の設けられた鉛直な面にカバー部４６が沿った姿勢となる（閉塞状態）（図７参照）。
【００４５】
一方、この周縁部カバー４が閉塞状態にあるときに、カバー部を後方から前方に向けて押圧すると、カバー用回動軸４２を中心にして周縁部カバー４が回動し、収納用凹所３０の設けられた鉛直な面にカバー部４６が略直交して先端が前方に臨み、且つ押圧部４７が前記鉛直な面に沿った姿勢となる（開放状態）（図８参照）。
【００４６】
閉塞状態となった周縁部カバー４は、図１（ａ）に示されたように、左右方向のカバー部４６と上下方向のカバー部４６とで干渉しないように構成されている。なお、本実施形態の周縁部カバー４は、上下方向のカバー部４６が、上下に対向する左右方向のカバー部４６における下方のカバー部４６の下端から上方のカバー部４６の上端まで亙るように構成されているが、この構成に限定されない。例えば、左右方向のカバー部４６が左右方向全長に亙るように構成されていてもよい。また、左右方向のカバー部４６及び上下方向のカバー部４６の両端が斜め４５°にカットされ、いわゆるスカーフジョイントのような形状で両者が合わさるように構成されていてもよい。
【００４７】
このような周縁部カバー４は、表示パネル３を取り付けた可動部材６が前方に出た前進位置にあるときには開放状態となり、前記可動部材６が収納用凹所３０に格納された後退位置にあるときには閉塞状態となる。以下、その動作を説明する。
【００４８】
図７のように表示パネル３が取り付けられた可動部材６が後退位置にあるときには、表示パネル３の前面に周縁部カバー４の一部が当接した状態となっており、該周縁部カバー４は表示パネル３の外周と収納用凹所３０の開口縁との間の隙間を覆っている。本実施形態においては、上下に対向する横方向のカバー部４６のうち上方のカバー部４６の正面視左側の一部には、指を挿通して操作レバー２０を操作するための切欠部４８が設けられている。この切欠部４８から指を挿通して操作レバー２０を右方向に移動させると、可動部材６が前進して表示パネル３が前進する。すると表示パネル３が周縁部カバー４のカバー部４６を後方から前方に向けて押圧する。周縁部カバー４はカバー用回動軸４２を中心にして回動し、収納用凹所３０の設けられた鉛直な面にカバー部４６が略直交して先端が前方に臨み、且つ押圧部４７が前記鉛直な面に沿った姿勢となる。
【００４９】
次に、可動部材６が前進位置にある状態から、操作レバー２０を左方向に移動させると、可動部材６が後退し表示パネル３が後退する。表示パネル３が後退していくと、表示パネル３の背面の一部が押圧部４７に当接する。そのまま、表示パネル３を後退させ続けると、カバー用回動軸４２を中心にして周縁部カバー４が回動し、収納用凹所３０の設けられた鉛直な面にカバー部４６が沿った姿勢となると共に、このカバー部４６が表示パネル３の前面に当接する。このとき、カバー部４６が表示パネル３の外周と収納用凹所３０の開口縁との隙間を覆うような閉塞状態となる。
【００５０】
この収納用凹所３０内に表示パネル３が格納された状態において、周縁部カバー４が、表示パネル３の外周と収納用凹所３０の開口縁との隙間を全周に亙って覆うように構成されているため、格納状態にある表示パネル３の外周を周縁部カバー４が覆って額縁のような外観を呈し、表示パネル３と、壁面との一体感を現出することができる。これにより、室内の外観を向上させることができる。また、表示パネル３が格納された状態から表示パネル３を前進させると、周縁部カバー４が隙間を開放して、周縁部カバー４が表示パネル３の前進移動を妨げない。このため、表示パネル３を見えやすい位置に前進させたとしても、支障なく作動させることができる。
【００５１】
なお、本実施形態においては、表示パネル３が取り付けられた可動部材６を前進又は後退させるために、操作レバー２０を手動により左右方向に移動させていたが、この構成に限定されない。すなわち、可動部材６を電動駆動により前進又は後退させる構成のものであってもよい。また、格納された可動部材６を更に後方（壁側）に押圧することにより、その後、前方に向けて可動部材６が飛び出すといったようなプッシュラッチ構造を設けてもよい。また、表示パネル３の周囲の壁面にスイッチを設け、このスイッチによって表示パネル３を壁面から一定距離だけ前進させ、それ以後の前進移動は上記のように操作レバー２０を用いて移動させるような構成であってもよい。
【００５２】
本実施形態の周縁部カバー４を、開口縁部に沿って設けられたカバー用回動軸４２回りに回動する例で説明したが、本発明ではこのものに限定されず、例えば、表示パネル３の後退位置を検知し、表示パネル３が後退位置に位置した場合に、側方から中央に向けて周縁部カバー４がスライドして突出することで、表示パネル３の外周と収納用凹所３０の開口縁との隙間を覆い、逆に可動部材６を前進させようとした場合に、この周縁部カバー４がスライドして壁内に隠れるといったような構成としてもよい。
【００５３】
なお、本実施形態においては、収納用凹所３０を部屋の壁面に設けた例について説明したが、本発明はこのものに限定されず、収納用凹所３０を壁の前面に形成されたものであれば、壁の前面に配設された家具に収納用凹所３０を設けたものであってもよい。
【符号の説明】
【００５４】
１      表示パネル支持装置
３      表示パネル
４      周縁部カバー
４１    カバー取付部
４３    カバー部材
４６    カバー部
４７    押圧部
４８    切欠部
５      固定部材
６      可動部材
７      連結支持部材
３０    収納用凹所
３１    底面
【図１】
2011048114.tif 000003
【図２】
2011048114.tif 000004
【図３】
2011048114.tif 000005
【図４】
2011048114.tif 000006
【図５】
2011048114.tif 000007
【図６】
2011048114.tif 000008
【図７】
2011048114.tif 000009
【図８】
2011048114.tif 000010
【図９】
2011048114.tif 000011